(57)【特許請求の範囲】
【請求項１】
携帯端末であって、
前記携帯端末の表面に設けられた表示部と、
前記携帯端末の表面に設けられたフロントカメラと、
前記携帯端末の裏面に設けられたリアカメラと、
前記フロントカメラと前記リアカメラのうち、いずれかのカメラをオンに設定し、前記オンに設定されているカメラから入力される画像を前記表示部に表示する制御部とを備え、
前記制御部は、前記オンに設定されているカメラ付近の状況が変化したことが検出されたときに、前記オンに設定するカメラを切り替える、携帯端末。
【請求項２】
前記制御部は、前記オンに設定されているカメラから入力される画像に基づいて、オンに設定にするカメラを切り替える、請求項１記載の携帯端末。
【請求項３】
前記制御部は、前記入力される画像の全エリアについて光量が一定値以下を示すか否かに基づいて、前記オンに設定するカメラを切り替える、請求項２記載の携帯端末。
【請求項４】
前記制御部は、前記リアカメラがオンに設定されているときに、前記リアカメラから入力される画像の全エリアについて、光量が一定値以下となるのが所定時間以上継続する場合に、前記オンに設定するカメラを前記リアカメラから前記フロントカメラに切り替える、請求項３記載の携帯端末。
【請求項５】
前記制御部は、前記リアカメラがオンに設定されているときに、前記リアカメラから入力される画像の全エリアについて、光量が一定値以下が継続する時間が第１の所定範囲内の場合に、前記オンに設定するカメラを前記リアカメラから前記フロントカメラに切り替え、光量が一定値以下が継続する時間が第２の所定範囲内の場合に、前記オンに設定するカメラを前記リアカメラに維持する、請求項３記載の携帯端末。
【請求項６】
前記携帯端末は、
前記携帯端末の表面に設けられた近接センサを備え、
前記制御部は、前記リアカメラがオンに設定されているときに、前記リアカメラから入力される画像の全エリアについて、光量が一定値以下が継続する時間が所定範囲内の場合に、前記近接センサによって物体の近接が検出されたか否かに基づいて、前記オンに設定するカメラを前記リアカメラから前記フロントカメラに切り替えるか、または前記オンに設定するカメラを前記リアカメラに維持する、請求項３記載の携帯端末。
【請求項７】
前記制御部は、前記リアカメラがオンに設定されているときに、前記リアカメラから入力される画像の全エリアについて、光量が一定値以下に変化し、その後前記一定値を超える事象が一定時間以内にＮ回以上発生した場合に、前記オンに設定するカメラを前記リアカメラから前記フロントカメラに切り替え、撮影モードを静止画撮影モードから動画撮影モードに切り替える、ただし、Ｎは２以上の自然数である、請求項３記載の携帯端末。
【請求項８】
前記制御部は、前記フロントカメラがオンに設定されているときに、前記フロントカメラから入力される画像の全エリアについて光量が一定値以下となるのが所定時間以上継続する場合に、前記オンに設定するカメラを前記フロントカメラに維持する、請求項３記載の携帯端末。
【請求項９】
前記制御部は、前記フロントカメラがオンに設定されているときに、前記フロントカメラから入力される画像の全エリアについて、光量が一定値以下が継続する時間が第１の所定範囲内の場合に、前記オンに設定するカメラを前記フロントカメラに維持し、光量が前記一定値以下が継続する時間が第２の所定範囲内の場合に、前記オンに設定するカメラを前記フロントカメラから前記リアカメラに切り替える、請求項３記載の携帯端末。
【請求項１０】
前記携帯端末は、
前記携帯端末の表面に設けられた近接センサを備え、
前記制御部は、前記フロントカメラがオンに設定されているときに、前記フロントカメラから入力される画像の全エリアについて、光量が一定値以下が継続する時間が所定範囲内の場合に、前記近接センサによって物体の近接が検出されたか否かに基づいて、前記オンに設定するカメラを前記フロントカメラから前記リアカメラに切り替えるか、または、前記オンに設定するカメラを前記フロントカメラに維持する、請求項３記載の携帯端末。
【請求項１１】
前記制御部は、前記フロントカメラがオンに設定されているときに、前記フロントカメラから入力される画像の全エリアについて、光量が一定値以下となるのが一定時間以内にＮ回以上発生した場合に、前記オンに設定するカメラを前記フロントカメラに維持し、撮影モードを静止画撮影モードから動画撮影モードに切り替える、ただし、Ｎは２以上の自然数である、請求項３記載の携帯端末。
【請求項１２】
前記制御部は、前記オンに設定するカメラを切替えまたは維持した後、セルフタイマ機能によって前記オンに設定するカメラで被写体を撮影する、請求項４〜１１のいずれか１項に記載の携帯端末。
【請求項１３】
前記制御部は、前記被写体を撮影する前に、前記画像内の顔の位置を検出し、前記検出した顔の位置に基づいてオートフォーカス制御を実行する、請求項１２記載の携帯端末。
【請求項１４】
前記制御部は、前記入力される画像において、所定のジェスチェを検出したか否かに基づいて、前記オンに設定するカメラを切り替える、請求項２記載の携帯端末。
【請求項１５】
携帯端末であって、
前記携帯端末の表面に設けられた表示部と、
前記携帯端末の表面に設けられたフロントカメラと、
前記携帯端末の裏面に設けられたリアカメラと、
前記フロントカメラと前記リアカメラのうち、一方のカメラをメインカメラに設定し、他方のカメラをサブカメラに設定し、前記メインカメラから入力される画像を前記表示部の第１の領域に表示し、前記サブカメラから入力される画像を前記表示部の第２の領域に表示する制御部とを備え、
前記制御部は、前記メインカメラに設定されているカメラから入力される画像に基づいて、前記メインカメラに設定にするカメラを切り替える、携帯端末。
【発明の詳細な説明】
【技術分野】
【０００１】
本開示の実施形態は、携帯端末に関する。
【背景技術】
【０００２】
従来から、メインカメラとサブカメラの２つのカメラを備えた携帯端末が知られている。たとえば、特許文献１には、撮像制御部は、携帯電話機が閉状態である場合には、メインカメラにより被写体を撮像させ、携帯電話機が開状態である場合には、サブカメラにより被写体を撮像させる。
【先行技術文献】
【特許文献】
【０００３】
【特許文献１】特開２０１１−２０５４７５号公報
【発明の概要】
【発明が解決しようとする課題】
【０００４】
しかしながら、被写体を撮像させるカメラを切り替えるために、携帯電話機を開く動作、または閉じる動作が必要となり、不便である。スマートフォンなどの携帯端末は、開いた状態と閉じた状態の２つの状態を取りえないので、開状態または閉状態によってカメラを切り替えることができない。
【０００５】
それゆえに、本発明の目的は、ユーザによる簡単な動作で、搭載されている２つのカメラ間の切替えが可能な携帯端末を提供することである。
【課題を解決するための手段】
【０００６】
一実施の形態の携帯端末は、携帯端末の表面に設けられた表示部と、携帯端末の表面に設けられたフロントカメラと、携帯端末の裏面に設けられたリアカメラと、フロントカメラとリアカメラのうち、いずれかのカメラをオンに設定し、オンに設定されているカメラから入力される画像を表示部に表示する制御部とを備える。制御部は、オンに設定されているカメラ付近の状況の変化が検出されたときに、オンに設定するカメラを切り替える。
【発明の効果】
【０００７】
一実施の形態の携帯端末によれば、ユーザによる簡単な動作で、搭載されている２つのカメラ間の切替えができる。
【図面の簡単な説明】
【０００８】
【図１】実施の形態の携帯端末の構成を表わす図である。
【図２】図１の携帯端末の正面（表面）側からの外観を表わす図である。
【図３】図１の携帯端末１の背面（裏面）側からの外観を表わす図である。
【図４】第１の実施形態の自分撮りの手順を表わすフローチャートである。
【図５】ユーザの動作を表わす図である。
【図６】撮影される静止画の例を表わす図である。
【図７】ユーザの動作を表わす図である。
【図８】第２の実施形態の自分撮りの手順を表わすフローチャートである。
【図９】ユーザの動作を表わす図である。
【図１０】ユーザの動作を表わす図である。
【図１１】第３の実施形態の自分撮りの手順を表わすフローチャートである。
【図１２】第３の実施形態の自分撮りの手順を表わすフローチャートである。
【図１３】ユーザの動作を表わす図である。
【図１４】ユーザの動作を表わす図である。
【図１５】第４の実施形態の自分撮りの手順を表わすフローチャートである。
【図１６】第４の実施形態の自分撮りの手順を表わすフローチャートである。
【図１７】ユーザの動作を表わす図である
【図１８】第５の実施形態の自分および背景撮りの手順を表わすフローチャートである。
【図１９】第５の実施形態の自分および背景撮りの手順を表わすフローチャートである。
【図２０】撮影される静止画の例を表わす図である。
【図２１】撮影される静止画の例を表わす図である。
【図２２】携帯端末の正面（表面）側からの外観を表わす図である。
【図２３】携帯端末の背面（裏面）側からの外観を表わす図である。
【発明を実施するための形態】
【０００９】
以下、実施の形態について、図面を用いて説明する。
［第１の実施形態］
図１は、実施の形態の携帯端末１の構成を表わす図である。図２は、図１の携帯端末１の正面（表面）側からの外観を表わす図である。図３は、図１の携帯端末１の背面（裏面）側からの外観を表わす図である。
【００１０】
図１、図２、図３を参照して、この携帯端末１は、アンテナ２２と、無線通信部２１と、近接センサ６と、フロントカメラ８と、リアカメラ１８と、レシーバ７と、マイク１２と、ボタン群９と、タッチスクリーン１５と、記憶部２３とを備える。タッチスクリーン１５は、ディスプレイ１６と、タッチパネル１７で構成される。
【００１１】
ボタン群９は、各種の処理のためのユーザの指示操作を受け付ける操作受付部として機能する。操作受付部としては、例えば、ボタン群９のように、物理的機構として実現されるボタン（ハードウェアキー）、ソフトウェア的に再現されたキー（ソフトキー）などが挙げられる。
【００１２】
無線通信部２１は、アンテナ２２を通じて、無線基地局と通信を行なう。無線通信部２１は、Ａ／Ｄコンバータ、Ｄ／Ａコンバータ、変調部、復調部、周波数コンバータ、増幅部などを含む。
【００１３】
ディスプレイ１６は、制御部２０から出力される画面を表示する。ディスプレイ１６としては、たとえば、液晶ディスプレイ、有機ＥＬ（Electro-Luminescence）ディスプレイなどが挙げられる。
【００１４】
タッチパネル１７は、ユーザからの入力を受け付ける入力受付部として機能する。タッチパネル１７は、静電容量方式に従って、物体（ユーザの指またはペンなど）の接触または近接を検出するが、タッチパネルはこれに限定されず、例えば、赤外線方式、または電磁誘導方式などの方式に従って、ユーザの入力を検出してもよい。なお、入力受付部としては、タッチパネル以外にも、例えば、接触せず入力を受け付けるものであればよく、例えば、近接センサなどが挙げられる。なお、入力受付部としては、他に、ハードウェアキーなどであってもよい。
【００１５】
レシーバ７は、制御部２０から出力される通話相手の音声または音楽データの音声などを出力する。レシーバ７は、たとえば、電磁式スピーカなどで構成される。あるいは、レシーバ７は、圧電振動素子から構成され、表面のパネルを振動させることでユーザに音声を伝えるものであってもよい。
【００１６】
マイク１２は、通話相手の音声及び周辺の音声などを受けて、制御部２０へ出力する。
近接センサ６は、近隣の物体の存在を非接触で検出する。近接センサ６は、たとえば、ディスプレイ１６が顔に近付けられたことを検出する。
【００１７】
リアカメラ１８およびフロントカメラ８は、被写体を撮影する。
記憶部２３は、リアカメラ１８およびフロントカメラ８の設定情報を記憶し、撮影によって生成された静止画および動画を記憶する。設定情報は、オンに設定されるカメラがフロントカメラ８とリアカメラ１８のいずれであるかを表わすオンカメラ情報、および現在の撮影モードが静止画撮影モードであるか、動画撮影モードのいずれであるかを表わす情報を含む。オンに設定されるカメラ（以下、オンカメラ）のデフォルトは、フロントカメラ８である。オンカメラが切り替えられると、制御部２０によってオンカメラ情報が更新される。携帯端末１の電源がオフにされても、オンカメラ情報は維持される。撮影モードのデフォルトは、静止画撮影モードである。動画撮影モードに設定されて動画が撮影された後には、制御部２０によって撮影モードが静止画撮影モードに戻される。
【００１８】
図２に示すように、レシーバ７、フロントカメラ８、および近接センサ６は、携帯端末１の筐体２の正面の上部に配置される。ディスプレイ１６およびタッチパネル１７は、携帯端末１の筐体２の正面の中央に配置される。ディスプレイ１６上にタッチパネル１７が配置される。
【００１９】
ボタン９Ｄ，９Ｅ，９Ｆは、携帯端末１の筐体２の正面の下部に配置される。ボタン９Ａは、携帯端末１の筐体２の側面の上側に配置される。ボタン９Ｂ，９Ｃは、携帯端末１の筐体２の側面の横側に配置される。
【００２０】
ボタン９Ｄは、ホームボタンである。ボタン９Ｅは、バックボタンである。ボタン９Ｆは、メニューボタンである。ボタン９Ａは、電源オン／オフボタンである。ボタン９Ｂは、音量アップボタンである。ボタン９Ｃは、音量ダウンボタンである。
【００２１】
マイク１２は、携帯端末１の筐体２の正面の下部に配置される。
図３に示すように、リアカメラ１８は、携帯端末１の筐体２の背面の上部に配置される。
【００２２】
制御部２０は、携帯端末１の全体を制御する。
ユーザは、携帯端末１のフロントカメラ８で自分撮りをする場合に、タッチスクリーン１５のアイコンなどをタッチすることによって、オンにするカメラをリアカメラ１８からフロントカメラ８に切り替える必要があった。ユーザは、フロントカメラ８のシャッタを切るために、さらに、タッチスクリーン１５の別のアイコンなどをタッチすることが必要であった。
【００２３】
制御部２０は、設定情報（オンカメラ情報）に基づいて、フロントカメラ８とリアカメラ１８のうち、いずれのカメラをオンに設定し、オンに設定されているカメラから入力される画像をディスプレイ１６に表示する。
【００２４】
制御部２０は、例えば、ユーザなどによりオンに設定されているカメラが覆われたことで、カメラまたはカメラ付近に設けられたセンサにより、カメラ付近の状況が変化したことが検出されたとき、オンに設定するカメラを切り替える。ここで、ユーザによるカメラを覆う動作は、ユーザが、ユーザの手、指、その他のユーザの身体、あるいはユーザの身体以外の物体をオンに設定されているカメラの前に移動させる動作などが挙げられる。ユーザによるオンに設定されているカメラを覆う動作を検出する方法には、様々なものがある。
【００２５】
第１の実施形態では、制御部２０は、オンに設定されているカメラから入力される画像に基づいて、オンに設定にするカメラを切り替える。具体的には、制御部２０は、入力される画像の全エリアについて光量が一定値以下を示すか否かに基づいて、オンに設定するカメラを切り替える。制御部２０は、オンに設定するカメラを切り替えた後、自動で顔認識ＡＦ（オートフォーカス）制御を実行し、セルフタイマ撮影を制御する。
【００２６】
図４は、第１の実施形態の自分撮りの手順を表わすフローチャートである。
図４を参照して、ステップＳ５０１において、ユーザがタッチスクリーン１５に表示されたカメラアイコンをタッチすることによって、カメラアプリケーションの起動を指示した場合に、処理がステップＳ５０２に進む。
【００２７】
ステップＳ５０２において、制御部２０は、記憶部２３に記憶されているカメラの設定情報がリアカメラ１８がオンを示す場合に、処理をステップＳ５０３に進ませる。制御部２０は、記憶部２３に記憶されているカメラの設定情報によってフロントカメラ８がオンを示す場合に、処理をステップＳ５０８に進ませる。
【００２８】
ステップＳ５０３において、制御部２０は、リアカメラ１８からの画像の入力を開始させ、入力された画像をタッチスクリーン１５に表示させる。
【００２９】
ステップＳ５０４において、制御部２０は、リアカメラ１８から入力された画像の全エリアにおいて、光量が一定値以下（つまり画素値が一定値以下）となるのが所定時間以上継続した場合には（Ｓ５０４：ＹＥＳ）、処理をステップＳ５０５に進ませる。
【００３０】
図５を参照して、Ｓ５０４でＹＥＳとなるためのユーザの動作を説明する。
図５に示すように、ユーザがフロントカメラ８を自分の方に向けて、ユーザが自分の手でリアカメラ１８を所定時間以上覆うことによって、リアカメラ１８から入力された画像の全エリアにおいて、光量が一定値以下となるのが所定時間以上継続し、処理がステップＳ５０５に進む。このように全エリアにおいて光量が一体値以下を条件としたのは、夜景を撮影したときとの区別を図るためである。
【００３１】
ステップＳ５０５において、制御部２０は、リアカメラ１８に代えてフロントカメラ８からの画像の入力を開始させ、入力された画像をタッチスクリーン１５に表示させる。制御部２０は、フロントカメラ８がオンとなるように設定情報（オンカメラ情報）を更新する。
【００３２】
ステップＳ５０６において、制御部２０は、フロントカメラ８に顔認識ＡＦ（オートフォーカス）制御を実行させる。具体的には、制御部２０は、フロントカメラ８から入力された画像から顔の位置を検出して、検出した顔にピントが合うようにフロントカメラ８の光学系のフォーカスを調整させる。
【００３３】
ステップＳ５０７において、制御部２０は、セルフタイマ機能によって、図６に示すような静止画を撮影させる。具体的には、制御部２０は、１０秒経過後にフロントカメラ８から入力される画像を記憶部２３に記憶させる。
【００３４】
ステップＳ５０８において、制御部２０は、フロントカメラ８からの画像の入力を開始させ、入力された画像をタッチスクリーン１５に表示させる。
【００３５】
ステップＳ５０９において、制御部２０は、フロントカメラ８から入力された画像の全エリアにおいて、光量が一定値以下（つまり画素値が一定値以下）となるのが所定時間以上継続した場合には（Ｓ５０９：ＹＥＳ）、処理をステップＳ５１０に進ませる。
【００３６】
図７を参照して、Ｓ５０９でＹＥＳとなるためのユーザの動作を説明する。
図７に示すように、ユーザがフロントカメラ８を自分の方に向けて、ユーザが自分の手でフロントカメラ８を所定時間以上覆うことによって、フロントカメラ８から入力された画像の全エリアにおいて、光量が一定値以下となるのが所定時間以上継続し、処理がステップＳ５１０に進む。
【００３７】
ステップＳ５１０において、制御部２０は、フロントカメラ８からの画像の入力を維持させ、入力された画像をタッチスクリーン１５に表示させる。
【００３８】
ステップＳ５１１において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【００３９】
ステップＳ５１２において、制御部２０は、セルフタイマ機能によって、図６に示すような静止画を撮影させる。具体的には、制御部２０は、１０秒経過後にフロントカメラ８から入力される画像を記憶部２３に記憶させる。
【００４０】
以上のように、第１の実施形態によれば、ユーザがオンに設定されているカメラを手で覆うという簡単な動作で、オンに設定されるカメラをリアカメラからフロントカメラに切り替えることができる。
【００４１】
［第２の実施形態］
第２の実施形態は、第１の実施形態と同一の課題を異なる方法で解決する。
【００４２】
第２の実施形態では、制御部２０は、制御部２０は、設定情報（オンカメラ情報）に基づいて、フロントカメラ８とリアカメラ１８のうち、いずれのカメラをオンに設定し、オンに設定されているカメラから入力される画像をディスプレイ１６に表示する。制御部２０は、オンに設定されているカメラから入力される画像に基づいて、オンに設定にするカメラを切り替える。具体的には、制御部２０は、入力される画像において、所定のジェスチェを検出したか否かに基づいて、オンに設定するカメラを切り替える。制御部２０は、オンに設定するカメラを切り替えた後、自動で顔認識ＡＦ（オートフォーカス）制御を実行し、セルフタイマ撮影を制御する。
【００４３】
図８は、第２の実施形態の自分撮りの手順を表わすフローチャートである。
図８のフローチャートが、図４のフローチャートと相違する点は、以下である。
【００４４】
図４のステップＳ５０４、Ｓ５０９に代えて、図８は、ステップＳ６０４、Ｓ６０９を有する。
【００４５】
ステップＳ６０４において、制御部２０は、リアカメラ１８から入力された画像において、ユーザの手が上下に振られるジェスチャ動作が検出されたときには（Ｓ６０４：ＹＥＳ）、処理をステップＳ５０５に進ませる。
【００４６】
図９は、ユーザの動作を表わす図である。図９は、Ｓ６０４でＹＥＳとなるためのユーザの動作を表わす。
【００４７】
図９に示すように、ユーザがリアカメラ１８の前で自分の手を上下に振る動作をすることによって、そのジェスチャが検出されて、処理がステップＳ５０５に進む。
【００４８】
ステップＳ６０９において、制御部２０は、フロントカメラ８から入力された画像において、ユーザの親指が上下に振られるジェスチャ動作が検出されたときには（Ｓ６０９：ＹＥＳ）、処理をステップＳ５１０に進ませる。
【００４９】
図１０は、ユーザの動作を表わす図である。図１０は、Ｓ６０９でＹＥＳとなるためのユーザの動作を表わす。
【００５０】
図１０に示すように、ユーザがフロントカメラ８の前で自分の親指を上下に振る動作をすることによって、そのジェスチャが検出されて、処理がステップＳ５１０に進む。
【００５１】
以上のように、第２の実施形態によれば、ユーザがオンに設定されているカメラの前で手または指を振るという簡単なジェスチャ動作によって、オンに設定されるカメラをリアカメラからフロントカメラに切り替えることができる。
【００５２】
［第３の実施形態］
リアカメラ１８の方が、フロントカメラ８よりも解像度が高い場合には、リアカメラ１８で自分撮りをするユーザがいる。また、動画の自分撮りをするユーザもいる。
【００５３】
第３の実施形態は、フロントカメラ８だけでなく、リアカメラ１８でも自分撮りが可能であり、かつ静止画だけでなく動画の自分撮りも可能である携帯端末に関する。
【００５４】
第３の実施形態において、制御部２０は、リアカメラ１８がオンに設定されているときに、リアカメラ１８から入力される画像の全エリアについて、光量が一定値以下が継続する時間が第１の所定範囲内の場合に、オンに設定するカメラをリアカメラ１８からフロントカメラ８に切り替え、光量が一定値以下が継続する時間が第２の所定範囲内の場合に、オンに設定するカメラをリアカメラ１８に維持する。
【００５５】
制御部２０は、リアカメラ１８がオンに設定されているときに、リアカメラ１８から入力される画像の全エリアについて、光量が一定値以下に変化し、その後一定値を超える事象が一定時間以内にＮ回（Ｎは２以上の自然数）以上発生した場合に、オンに設定するカメラをリアカメラ１８からフロントカメラ８に切り替え、撮影モードを静止画撮影モードから動画撮影モードに切り替える。
【００５６】
制御部２０は、フロントカメラ８がオンに設定されているときに、フロントカメラ８から入力される画像の全エリアについて、光量が一定値以下が継続する時間が第１の所定範囲内の場合に、オンに設定するカメラをフロントカメラ８に維持し、光量が一定値以下が継続する時間が第２の所定範囲内の場合に、オンに設定するカメラをフロントカメラ８からリアカメラ１８に切り替える。
【００５７】
制御部２０は、フロントカメラ８がオンに設定されているときに、フロントカメラ８から入力される画像の全エリアについて、光量が一定値以下に変化し、その後一定値を超える事象が一定時間以内にＮ回（Ｎは２以上の自然数）以上発生した場合に、オンに設定するカメラをフロントカメラ８に維持し、撮影モードを静止画撮影モードから動画撮影モードに切り替える。
【００５８】
図１１および図１２は、第３の実施形態の自分撮りの手順を表わすフローチャートである。
【００５９】
図１１および図１２を参照して、ステップＳ１０１において、ユーザがタッチスクリーン１５に表示されたカメラアイコンをタッチすることによって、カメラアプリケーションの起動を指示した場合に、処理がステップＳ１０２に進む。
【００６０】
ステップＳ１０２において、制御部２０は、記憶部２３に記憶されているカメラの設定情報によってリアカメラ１８がオンを示す場合に、処理をステップＳ１０３に進ませる。制御部２０は、記憶部２３に記憶されているカメラの設定情報によってフロントカメラ８がオンを示す場合に、処理をステップＳ１１６に進ませる。
【００６１】
ステップＳ１０３において、制御部２０は、リアカメラ１８からの画像の入力を開始させ、入力された画像をタッチスクリーン１５に表示させる。
【００６２】
ステップＳ１０４において、制御部２０は、リアカメラ１８から入力された画像の全エリアにおいて、光量が一定値以下（つまり画素値が一定値以下）が継続する時間が第１の所定範囲内（３秒以上かつ５秒未満の期間）となる場合には（Ｓ１０４：ＹＥＳ）、処理をステップＳ１０５に進ませる。
【００６３】
図５を参照して、Ｓ１０４でＹＥＳとなるためのユーザの動作を説明する。
図５に示すように、ユーザが、フロントカメラ８を自分の方に向けて、ユーザが自分の手でリアカメラ１８を３秒以上かつ５秒未満覆うことによって、リアカメラ１８から入力された画像の全エリアにおいて、光量が一定値以下が継続する時間が第１の所定範囲内（３秒以上かつ５秒未満）となり、処理がステップＳ１０５に進む。
【００６４】
ステップＳ１０５において、制御部２０は、リアカメラ１８に代えてフロントカメラ８からの画像の入力を開始させ、入力された画像をタッチスクリーン１５に表示させる。制御部２０は、フロントカメラ８がオンとなるように設定情報（オンカメラ情報）を更新する。
【００６５】
ステップＳ１０６において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【００６６】
ステップＳ１０７において、制御部２０は、セルフタイマ機能によって、図６に示すような静止画を撮影させる。具体的には、制御部２０は、１０秒経過後にフロントカメラ８から入力される画像を記憶部２３に記憶させる。
【００６７】
ステップＳ１０８において、制御部２０は、リアカメラ１８から入力された画像の全エリアにおいて、光量が一定値以下（つまり画素値が一定値以下）が継続する時間が第２の所定範囲内（５秒以上かつ８秒未満）となる場合には（Ｓ１０４：ＮＯ、Ｓ１０８：ＹＥＳ）、処理をステップＳ１０９に進ませる。
【００６８】
図１３を参照して、Ｓ１０８でＹＥＳとなるためのユーザの動作を説明する。
図１３に示すように、ユーザが、リアカメラ１８を自分の方に向けて、ユーザが自分の手でリアカメラ１８を５秒以上かつ８秒未満覆うことによって、リアカメラ１８から入力された画像の全エリアにおいて、光量が一定値以下が継続する時間が第２の所定範囲内（５秒以上かつ８秒未満）となり、処理がステップＳ１０９に進む。
【００６９】
ステップＳ１０９において、制御部２０は、リアカメラ１８からの画像の入力を維持させ、入力された画像をタッチスクリーン１５に表示させる。
【００７０】
ステップＳ１１０において、制御部２０は、リアカメラ１８に顔認識ＡＦ（オートフォーカス）を実行させる。具体的には、制御部２０は、リアカメラ１８から入力された画像から顔の位置を検出して、検出した顔にピントが合うようにリアカメラ１８の光学系のフォーカスを調整させる。
【００７１】
ステップＳ１１１において、制御部２０は、セルフタイマ機能によって、図６に示すような静止画を撮影させる。具体的には、制御部２０は、１０秒経過後にリアカメラ１８から入力される画像を記憶部２３に記憶させる。
【００７２】
ステップＳ１１２において、制御部２０は、リアカメラ１８から入力された画像の全エリアにおいて、光量が一定値以下に変化し、その後一定値を超える事象が一定時間（たとえば１０秒）以内に２回以上発生した場合には（Ｓ１０４：ＮＯ、Ｓ１０９：ＮＯ、Ｓ１１２：ＹＥＳ）、処理をステップＳ１１３に進ませる。
【００７３】
図５を参照して、Ｓ１１２でＹＥＳとなるためのユーザの動作を説明する。
図５に示すように、ユーザが、フロントカメラ８を自分の方に向けて、ユーザが自分の手でリアカメラ１８を覆う動作を一定時間以内に２回以上行うことによって、リアカメラ１８から入力された画像の全エリアにおいて、光量が一定値以下に変化し、その後一定値を超える事象が一定時間以内に２回以上発生し、処理がステップＳ１１３に進む。
【００７４】
ステップＳ１１３において、制御部２０は、リアカメラ１８に代えてフロントカメラ８からの画像の入力を開始させ、入力された画像をタッチスクリーン１５に表示させる。制御部２０は、フロントカメラ８がオンとなるように設定情報（オンカメラ情報）を更新するとともに、撮影モードを動画撮影モードに切り替える。
【００７５】
ステップＳ１１４において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【００７６】
ステップＳ１１５において、制御部２０は、セルフタイマ機能によって動画を撮影させる。具体的には、制御部２０は、１０秒経過後にフロントカメラ８から入力される映像（動画）を記憶部２３に記憶させる。
【００７７】
ステップＳ１１６において、制御部２０は、フロントカメラ８からの画像の入力を開始させ、入力された画像をタッチスクリーン１５に表示させる。
【００７８】
ステップＳ１１７において、制御部２０は、フロントカメラ８から入力された画像の全エリアにおいて、光量が一定値以下（つまり画素値が一定値以下）が継続する時間が第１の所定範囲内（３秒以上かつ５秒未満の期間）となる場合には（Ｓ１１７：ＹＥＳ）、処理をステップＳ１１８に進ませる。
【００７９】
図７を参照して、Ｓ１１７でＹＥＳとなるためのユーザの動作を説明する。
図７に示すように、ユーザが、フロントカメラ８を自分の方に向けて、ユーザが自分の手でフロントカメラ８を３秒以上かつ５秒未満覆うことによって、フロントカメラ８から入力された画像の全エリアにおいて、光量が一定値以下が継続する時間が第１の所定範囲内（３秒以上かつ５秒未満）となり、処理がステップＳ１１８に進む。
【００８０】
ステップＳ１１８において、制御部２０は、フロントカメラ８からの画像の入力を維持させ、入力された画像をタッチスクリーン１５に表示させる。
【００８１】
ステップＳ１１９において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【００８２】
ステップＳ１２０において、制御部２０は、セルフタイマ機能によって、図６に示すような静止画を撮影させる。具体的には、制御部２０は、１０秒経過後にフロントカメラ８から入力される画像を記憶部２３に記憶させる。
【００８３】
ステップＳ１２１において、制御部２０は、フロントカメラ８から入力された画像の全エリアにおいて、光量が一定値以下（つまり画素値が一定値以下）が継続する時間が第２の所定範囲内（５秒以上かつ８秒未満）となる場合には（Ｓ１１７：ＮＯ、Ｓ１２１：ＹＥＳ）、処理をステップＳ１２２に進ませる。
【００８４】
図１４を参照して、Ｓ１２１でＹＥＳとなるためのユーザの動作を説明する。
図１４に示すように、ユーザが、リアカメラ１８を自分の方に向けて、ユーザが自分の手でフロントカメラ８を５秒以上かつ８秒未満覆うことによって、フロントカメラ８から入力された画像の全エリアにおいて、光量が一定値以下が継続する時間が第２の所定範囲内（５秒以上かつ８秒未満）となり、処理がステップＳ１２２に進む。
【００８５】
ステップＳ１２２において、制御部２０は、フロントカメラ８に代えてリアカメラ１８からの画像の入力を開始させ、入力された画像をタッチスクリーン１５に表示させる。制御部２０は、リアカメラ１８がオンとなるように設定情報（オンカメラ情報）を更新する。
【００８６】
ステップＳ１２３において、制御部２０は、リアカメラ１８に顔認識ＡＦ（オートフォーカス）を実行させる。具体的には、制御部２０は、リアカメラ１８から入力された画像から顔の位置を検出して、検出した顔にピントが合うようにリアカメラ１８の光学系のフォーカスを調整させる。
【００８７】
ステップＳ１２４において、制御部２０は、セルフタイマ機能によって、図６に示すような静止画を撮影させる。具体的には、制御部２０は、１０秒経過後にリアカメラ１８から入力される画像を記憶部２３に記憶させる。
【００８８】
ステップＳ１２５において、制御部２０は、フロントカメラ８から入力された画像の全エリアにおいて、光量が一定値以下に変化し、その後一定値を超える事象が一定時間（たとえば１０秒）以内に２回以上発生した場合には（Ｓ１１７：ＮＯ、Ｓ１２１：ＮＯ、Ｓ１２５：ＹＥＳ）、処理をステップＳ１２６に進ませる。
【００８９】
図７を参照して、Ｓ１２５でＹＥＳとなるためのユーザの動作を説明する。
図７に示すように、ユーザが、フロントカメラ８を自分の方に向けて、ユーザが自分の手でフロントカメラ８を覆う動作を所定時間内に２回以上行うことによって、フロントカメラ８から入力された画像の全エリアにおいて、光量が一定値以下に変化し、その後一定値を超える事象が一定時間以内に２回以上発生し、処理がステップＳ１２６に進む。
【００９０】
ステップＳ１２６において、制御部２０は、フロントカメラ８からの画像の入力を維持させ、入力された画像をタッチスクリーン１５に表示させる。制御部２０は、撮影モードを動画撮影モードに切り替える。
【００９１】
ステップＳ１２７において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【００９２】
ステップＳ１２８において、制御部２０は、セルフタイマ機能によって動画を撮影させる。具体的には、制御部２０は、１０秒経過後にフロントカメラ８から入力される映像（動画）を記憶部２３に記憶させる。
【００９３】
以上のように、第３の実施形態によれば、ユーザが、オンに設定されているカメラの前での手または指の振り方を変えることによって、オンに設定されるカメラを維持、オンに設定されるカメラの切替え、または撮影モードを動作撮影モードに切り替えることができる。
【００９４】
［第４の実施形態］
第４の実施形態は、第３の実施形態と同一の課題を異なる方法で解決する。
【００９５】
第４の実施形態において、制御部２０は、リアカメラ１８がオンに設定されているときに、リアカメラ１８から入力される画像の全エリアについて、光量が一定値以下が継続する時間が所定範囲内の場合に、近接センサ６によって物体の近接が検出されたか否かに基づいて、オンに設定するカメラをリアカメラ１８からフロントカメラ８に切り替えるか、またはオンに設定するカメラをリアカメラ１８に維持する。
【００９６】
制御部２０は、フロントカメラ８がオンに設定されているときに、フロントカメラ８から入力される画像の全エリアについて、光量が一定値以下が継続する時間が所定範囲内の場合に、近接センサ６によって物体の近接が検出されたか否かに基づいて、オンに設定するカメラをフロントカメラ８からリアカメラ１８に切り替えるか、または、オンに設定するカメラをフロントカメラ８に維持する。
【００９７】
図１５および図１６は、第４の実施形態の自分撮りの手順を表わすフローチャートである。
【００９８】
図１５および図１６のフローチャートが、図１１および図１２のフローチャートと相違する点は、以下である。
【００９９】
図１１のステップＳ１０４、Ｓ１０８、Ｓ１１７、Ｓ１２１に代えて、図１４は、ステップＳ２０４、Ｓ２０８、Ｓ２１７、Ｓ２２１を有する。
【０１００】
ステップＳ２０４において、制御部２０は、リアカメラ１８から入力された画像の全エリアにおいて、光量が一定値以下（つまり画素値が一定値以下）が継続する時間が第１の所定範囲内（３秒以上かつ５秒未満の期間）であり、かつ近接センサ６による物体の検出がない場合には（Ｓ２０４：ＹＥＳ）、処理をステップＳ１０５に進ませる。
【０１０１】
図５を参照して、Ｓ２０４でＹＥＳとなるためのユーザの動作を説明する。
図５に示すように、ユーザが、フロントカメラ８を自分の方に向けて、ユーザが自分の手でリアカメラ１８を３秒以上かつ５秒未満覆うが、ユーザの手は、近接センサ６に近接しない。これによって、リアカメラ１８から入力された画像の全エリアにおいて、光量が一定値以下が継続する時間が第１の所定範囲内（３秒以上かつ５秒未満）となり、近接センサ６による物体（ユーザの手）の接近が検出されないので、処理がステップＳ１０５に進む。
【０１０２】
ステップＳ２０８において、制御部２０は、リアカメラ１８から入力された画像の全エリアにおいて、光量が一定値以下（つまり画素値が一定値以下）が継続する時間が第１の所定範囲内（３秒以上かつ５秒未満の期間）であり、かつ近接センサ６による物体の検出がある場合には（Ｓ２０８：ＹＥＳ）、処理をステップＳ１０９に進ませる。
【０１０３】
図１７を参照して、Ｓ２０８でＹＥＳとなるためのユーザの動作を説明する。
図１７に示すように、ユーザが、リアカメラ１８を自分の方に向けて、ユーザが自分の手でリアカメラ１８を３秒以上かつ５秒未満覆い、かつユーザの手が、近接センサ６に近接する。これによって、リアカメラ１８から入力された画像の全エリアにおいて、光量が一定値以下が継続する時間が第１の所定範囲内（３秒以上かつ５秒未満）となり、近接センサ６による物体（ユーザの手）の接近が検出されるので、処理がステップＳ１０９に進む。
【０１０４】
ステップＳ２１７において、制御部２０は、フロントカメラ８から入力された画像の全エリアにおいて、光量が一定値以下（つまり画素値が一定値以下）が継続する時間が第１の所定範囲内（３秒以上かつ５秒未満の期間）であり、かつ近接センサ６による物体の検出がない場合には（Ｓ２１７：ＹＥＳ）、処理をステップＳ１１８に進ませる。
【０１０５】
図７を参照して、Ｓ２１７でＹＥＳとなるためのユーザの動作を説明する。
図７に示すように、ユーザが、フロントカメラ８を自分の方に向けて、ユーザが自分の手でフロントカメラ８を３秒以上かつ５秒未満覆うが、ユーザの手は、近接センサ６に近接しない。これによって、フロントカメラ８から入力された画像の全エリアにおいて、光量が一定値以下が継続する時間が第１の所定範囲内（３秒以上かつ５秒未満）となり、近接センサ６による物体（ユーザの手）の接近が検出されないので、処理がステップＳ１１８に進む。
【０１０６】
ステップＳ２２１において、制御部２０は、フロントカメラ８から入力された画像の全エリアにおいて、光量が一定値以下（つまり画素値が一定値以下）が継続する時間が第１の所定範囲内（３秒以上かつ５秒未満の期間）であり、かつ近接センサ６による物体の検出がある場合には（Ｓ２２１：ＹＥＳ）、処理をステップＳ１２２に進ませる。
【０１０７】
図１４を参照して、Ｓ１２１でＹＥＳとなるためのユーザの動作を説明する。
図１４に示すように、ユーザが、リアカメラ１８を自分の方に向けて、ユーザが自分の手でフロントカメラ８を５秒以上かつ８秒未満覆い、かつユーザの手が、近接センサ６に近接する。これによって、フロントカメラ８から入力された画像の全エリアにおいて、光量が一定値以下が継続する時間が第１の所定範囲内（３秒以上かつ５秒未満）となり、近接センサ６による物体（ユーザの手）の接近が検出されるので、処理がステップＳ１２２に進む。
【０１０８】
以上のように、第４の実施形態によれば、ユーザが、オンに設定されているカメラの前での手または指の振り方を変え、または近接センサへの手または指の接近を変えることによって、オンに設定されるカメラを維持、オンに設定されるカメラの切替え、または撮影モードを動作撮影モードに切り替えることができる。
【０１０９】
［第５の実施形態］
携帯端末の中には、１つのカメラだけでなく、２つのカメラから入力される画像を合成した写真を生成できるものがある。
【０１１０】
第５の実施形態は、フロントカメラ８とリアカメラ１８のいずれをメインカメラ、サブカメラにするかを切り替えることが可能な携帯端末に関する。
【０１１１】
第５の実施形態では、制御部２０は、フロントカメラ８とリアカメラ１８のうち、一方のカメラをメインカメラに設定し、他方のカメラをサブカメラに設定し、メインカメラから入力される画像をディスプレイ１６の第１の領域（表示領域の大きなメイン画像エリア）に表示し、サブカメラから入力される画像をディスプレイ１６の第２の領域（表示領域の小さなサブ画像エリア）に表示する。
【０１１２】
制御部２０は、メインカメラに設定されているカメラから入力される画像に基づいて、メインカメラに設定にするカメラを切り替える。
【０１１３】
図１８および図１９は、第５の実施形態の自分および背景撮りの手順を表わすフローチャートである。
【０１１４】
図１８および図１９を参照して、ステップＳ３０１において、ユーザがタッチスクリーン１５に表示されたカメラアイコンをタッチすることによって、カメラアプリケーションの起動を指示した場合に、処理がステップＳ３０２に進む。
【０１１５】
ステップＳ３０２において、制御部２０は、記憶部２３に記憶されているカメラの設定情報によってリアカメラ１８がメインカメラに設定されている場合に、処理をステップＳ３０３に進ませる。制御部２０は、記憶部２３に記憶されているカメラの設定情報によってフロントカメラ８がメインカメラに設定されている場合に、処理をステップＳ３１６に進ませる。
【０１１６】
ステップＳ３０３において、制御部２０は、リアカメラ１８をメインカメラとして画像の入力を開始させ、入力された画像をタッチスクリーン１５のメイン画像エリアに表示させる。制御部２０は、フロントカメラ８をサブカメラとして画像の入力を開始させ、入力された画像をタッチスクリーン１５のサブ画像エリアに表示させる。
【０１１７】
ステップＳ３０４において、制御部２０は、リアカメラ１８から入力された画像の全エリアにおいて、光量が一定値以下（つまり画素値が一定値以下）が継続する時間が第１の所定範囲内（３秒以上かつ５秒未満の期間）の場合には（Ｓ３０４：ＹＥＳ）、処理をステップＳ３０５に進ませる。
【０１１８】
図５を参照して、Ｓ３０４でＹＥＳとなるためのユーザの動作を説明する。
図５に示すように、ユーザが、フロントカメラ８を自分の方に向けて、ユーザが自分の手でリアカメラ１８を３秒以上かつ５秒未満覆うことによって、リアカメラ１８から入力された画像の全エリアにおいて、光量が一定値以下が継続する時間が第１の所定範囲内（３秒以上かつ５秒未満）となり、処理がステップＳ３０５に進む。
【０１１９】
ステップＳ３０５において、制御部２０は、メインカメラをリアカメラ１８からフロントカメラ８に切り替える。具体的には、フロントカメラ８をメインカメラとして画像の入力を開始させ、入力された画像をタッチスクリーン１５のメイン画像エリアに表示させる。制御部２０は、リアカメラ１８をサブカメラとして画像の入力を開始させ、入力された画像をタッチスクリーン１５のサブ画像エリアに表示させる。制御部２０は、フロントカメラ８がメインカメラとなるように設定情報（オンカメラ情報）を更新する。
【０１２０】
ステップＳ３０６において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【０１２１】
ステップＳ３０７において、制御部２０は、セルフタイマ機能によって、図２０に示すような静止画を撮影させる。具体的には、制御部２０は、１０秒経過後に、サブ画像エリア３５０にリアカメラ１８から入力される画像を含み、メイン画像エリア３５１にフロントカメラ８から入力される画像を含む画像を記憶部２３に記憶させる。
【０１２２】
ステップＳ３０８において、制御部２０は、リアカメラ１８から入力された画像の全エリアにおいて、光量が一定値以下（つまり画素値が一定値以下）が継続する時間が第２の所定範囲内（５秒以上かつ８秒未満の期間）の場合に（Ｓ３０４：ＮＯ、Ｓ３０８：ＹＥＳ）、処理をステップＳ３０９に進ませる。
【０１２３】
図１３を参照して、Ｓ１０８でＹＥＳとなるためのユーザの動作を説明する。
図１３に示すように、ユーザが、リアカメラ１８を自分の方に向けて、ユーザが自分の手でリアカメラ１８を５秒以上かつ８秒未満覆うことによって、リアカメラ１８から入力された画像の全エリアにおいて、光量が一定値以下が継続する時間が第２の所定範囲内（５秒以上かつ８秒未満）となり、処理がステップＳ３０９に進む。
【０１２４】
ステップＳ３０９において、制御部２０は、メインカメラをリアカメラ１８、サブカメラをフロントカメラ８に維持する。
【０１２５】
ステップＳ３１０において、制御部２０は、リアカメラ１８に顔認識ＡＦ（オートフォーカス）を実行させる。具体的には、制御部２０は、リアカメラ１８から入力された画像から顔の位置を検出して、検出した顔にピントが合うようにリアカメラ１８の光学系のフォーカスを調整させる。
【０１２６】
ステップＳ３１１において、制御部２０は、セルフタイマ機能によって、図２０に示すような静止画を撮影させる。具体的には、制御部２０は、１０秒経過後に、サブ画像エリア３５０にフロントカメラ８から入力される画像を含み、メイン画像エリア３５１にリアカメラ１８から入力される画像を含む画像を記憶部２３に記憶させる。
【０１２７】
ステップＳ３１２において、制御部２０は、リアカメラ１８から入力された画像の全エリアにおいて、光量が一定値以下に変化し、その後一定値を超える事象が一定時間（たとえば１０秒）以内に２回以上発生した場合には（Ｓ３０４：ＮＯ、Ｓ３０９：ＮＯ、Ｓ３１２：ＹＥＳ）、処理をステップＳ３１３に進ませる。
【０１２８】
図５を参照して、Ｓ３１２でＹＥＳとなるためのユーザの動作を説明する。
図５に示すように、ユーザが、フロントカメラ８を自分の方に向けて、ユーザが自分の手でリアカメラ１８を覆う動作を一定時間以内に２回以上行うことによって、リアカメラ１８から入力された画像の全エリアにおいて、光量が一定値以下に変化し、その後一定値を超える事象が一定時間以内に２回以上発生し、処理がステップＳ３１３に進む。
【０１２９】
ステップＳ１１３において、制御部２０は、メインカメラをリアカメラ１８からフロントカメラ８に切り替える。具体的には、フロントカメラ８をメインカメラとして画像の入力を開始させ、入力された画像をタッチスクリーン１５のメイン画像エリアに表示させる。制御部２０は、リアカメラ１８をサブカメラとして画像の入力を開始させ、入力された画像をタッチスクリーン１５のサブ画像エリアに表示させる。制御部２０は、フロントカメラ８がメインカメラとなるように設定情報（オンカメラ情報）を更新するとともに、撮影モードを動画撮影モードに切り替える。
【０１３０】
ステップＳ３１４において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【０１３１】
ステップＳ３１５において、制御部２０は、セルフタイマ機能によって動画を撮影させる。具体的には、１０秒経過後に、サブ画像エリアにリアカメラ１８から入力される画像を含み、メイン画像エリアにフロントカメラ８から入力される画像を含む動画を記憶部２３に記憶させる。
【０１３２】
ステップＳ３１６において、制御部２０は、フロントカメラ８をメインカメラとして画像の入力を開始させ、入力された画像をタッチスクリーン１５のメイン画像エリアに表示させる。制御部２０は、リアカメラ１８をサブカメラとして画像の入力を開始させ、入力された画像をタッチスクリーン１５のサブ画像エリアに表示させる。
【０１３３】
ステップＳ３１７において、制御部２０は、フロントカメラ８から入力された画像の全エリアにおいて、光量が一定値以下（つまり画素値が一定値以下）が継続する時間が第１の所定範囲内（３秒以上かつ５秒未満の期間）となる場合には（Ｓ３１７：ＹＥＳ）、処理をステップＳ３１８に進ませる。
【０１３４】
図７を参照して、Ｓ３１７でＹＥＳとなるためのユーザの動作を説明する。
図７に示すように、ユーザが、フロントカメラ８を自分の方に向けて、ユーザが自分の手でフロントカメラ８を３秒以上かつ５秒未満覆うことによって、フロントカメラ８から入力された画像の全エリアにおいて、光量が一定値以下が継続する時間が第１の所定範囲内（３秒以上かつ５秒未満）となり、処理がステップＳ３１８に進む。
【０１３５】
ステップＳ３１８において、制御部２０は、メインカメラをフロントカメラ８、サブカメラをリアカメラ１８に維持する。
【０１３６】
ステップＳ３１９において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【０１３７】
ステップＳ３２０において、制御部２０は、セルフタイマ機能によって、図２０に示すような静止画を撮影させる。具体的には、制御部２０は、１０秒経過後に、サブ画像エリア３５０にリアカメラ１８から入力される画像を含み、メイン画像エリア３５１にフロントカメラ８から入力される画像を含む画像を記憶部２３に記憶させる。
【０１３８】
ステップＳ３２１において、制御部２０は、フロントカメラ８から入力された画像の全エリアにおいて、光量が一定値以下（つまり画素値が一定値以下）が継続する時間が第２の所定範囲内（５秒以上かつ８秒未満）となる場合には（Ｓ３１７：ＮＯ、Ｓ３２１：ＹＥＳ）、処理をステップＳ３２２に進ませる。
【０１３９】
図１４を参照して、Ｓ３２１でＹＥＳとなるためのユーザの動作を説明する。
図１４に示すように、ユーザが、リアカメラ１８を自分の方に向けて、ユーザが自分の手でフロントカメラ８を５秒以上かつ８秒未満覆うことによって、フロントカメラ８から入力された画像の全エリアにおいて、光量が一定値以下が継続する時間が第２の所定範囲内（５秒以上かつ８秒未満）となり、処理がステップＳ３２２に進む。
【０１４０】
ステップＳ３２２において、制御部２０は、メインカメラをフロントカメラ８からリアカメラ１８に切り替える。具体的には、制御部２０は、リアカメラ１８をメインカメラとして画像の入力を開始させ、入力された画像をタッチスクリーン１５のメイン画像エリアに表示させる。制御部２０は、フロントカメラ８をサブカメラとして画像の入力を開始させ、入力された画像をタッチスクリーン１５のサブ画像エリアに表示させる。制御部２０は、リアカメラ１８がメインカメラとなるように設定情報（オンカメラ情報）を更新する。
【０１４１】
ステップＳ３２３において、制御部２０は、リアカメラ１８に顔認識ＡＦ（オートフォーカス）を実行させる。具体的には、制御部２０は、リアカメラ１８から入力された画像から顔の位置を検出して、検出した顔にピントが合うようにリアカメラ１８の光学系のフォーカスを調整させる。
【０１４２】
ステップＳ３２４において、制御部２０は、セルフタイマ機能によって、図２０に示すように静止画を撮影させる。具体的には、制御部２０は、１０秒経過後に、サブ画像エリア３５０にフロントカメラ８から入力される画像を含み、メイン画像エリア３５１にリアカメラ１８から入力される画像を含む画像を記憶部２３に記憶させる。
【０１４３】
ステップＳ３２５において、制御部２０は、フロントカメラ８から入力された画像の全エリアにおいて、光量が一定値以下に変化し、その後一定値を超える事象が一定時間（たとえば１０秒）以内に２回以上発生した場合には（Ｓ３１７：ＮＯ、Ｓ３２１：ＮＯ、Ｓ３２５：ＹＥＳ）、処理をステップＳ３２６に進ませる。
【０１４４】
図７を参照して、Ｓ３２５でＹＥＳとなるためのユーザの動作を説明する。
図７に示すように、ユーザが、フロントカメラ８を自分の方に向けて、ユーザが自分の手でフロントカメラ８を覆う動作を所定時間内に２回以上行うことによって、フロントカメラ８から入力された画像の全エリアにおいて、光量が一定値以下に変化し、その後一定値を超える事象が一定時間以内に２回以上発生し、処理がステップＳ３２６に進む。
【０１４５】
ステップＳ３２６において、制御部２０は、メインカメラをフロントカメラ８、サブカメラをリアカメラ１８に維持するとともに、撮影モードを動画撮影モードに切り替える。
【０１４６】
ステップＳ３２７において、制御部２０は、フロントカメラ８に顔認識ＡＦ（オートフォーカス）を実行させる。具体的には、制御部２０は、フロントカメラ８から入力された画像から顔の位置を検出して、検出した顔にピントが合うようにフロントカメラ８の光学系のフォーカスを調整させる。
【０１４７】
ステップＳ３２８において、制御部２０は、セルフタイマ機能によって動画を撮影させる。具体的には、制御部２０は、１０秒経過後に、サブ画像エリアにリアカメラ１８から入力される画像を含み、メイン画像エリアにフロントカメラ８から入力される画像を含む動画を記憶部２３に記憶させる。
【０１４８】
以上のように、第５の実施形態によれば、ユーザが、オンに設定されているカメラの前での手または指の振り方を変えることによって、メインカメラに設定されるカメラを維持、メインカメラに設定されるカメラの切替え、または撮影モードを動作撮影モードに切り替えることができる。
【０１４９】
（変形例）
本開示は、上記の実施形態に限定されるものではなく、たとえば、以下のような変形例も含む。
【０１５０】
（１）カメラの切替条件
第３の実施形態の図１１、図１２のステップＳ１０４、Ｓ１１７、第５の実施形態の図１８、図１９のステップＳ３０４、Ｓ３１７において、画像内の全エリアの光量が一定値以下が継続するのが３秒以上かつ５秒未満を条件とし、ステップＳ１０８、Ｓ１２１、Ｓ３０８、Ｓ３２１において、画像内の全エリアの光量が一定値以下が継続するのが５秒以上かつ８秒未満を条件としたが、この条件が逆であってもよい。すなわち、図１１、図１２のステップＳ１０４、Ｓ１１７、Ｓ３０４、Ｓ３１７において、画像内の全エリアの光量が一定値以下が継続するのが５秒以上かつ８秒未満を条件とし、ステップＳ１０８、Ｓ１２１、Ｓ３０８、Ｓ３２１において、画像内の全エリアの光量が一定値以下が継続するのが３秒以上かつ５秒未満を条件としてもよい。
【０１５１】
第４の実施形態の図１５、図１６のステップＳ２０４、Ｓ２１７において、画像内の全エリアの光量が一定値以下の状態で継続するのが３秒以上かつ５秒未満であり、かつ近接センサによる物体の近接が検出されないことを条件とし、ステップＳ２０８、Ｓ２２１において、画像内の全エリアの光量が一定値以下が継続するのが３秒以上かつ５秒未満であり、かつ近接センサによる物体の近接が検出されることを条件としたが、この条件が逆であってもよい。すなわち、図１５、図１６のステップＳ２０４、Ｓ２１７において、画像内の全エリアの光量が一定値以下が継続するのが３秒以上かつ５秒未満であり、かつ近接センサによる物体の近接が検出されることを条件とし、ステップＳ２０８、Ｓ２２１において、画像内の全エリアの光量が一定値以下の状態で継続するのが３秒以上かつ５秒未満であり、かつ近接センサによる物体の近接が検出されないことを条件としてもよい。
【０１５２】
（２）動画撮影モード
第３の実施形態の図１１、図１２、図１５、図１６のステップＳ１１２、１２５、図１８、図１９、ステップＳ３１２、Ｓ３２５において、画像内の全エリアの光量が一定値以下がオンに設定されているカメラ、またはメインカメラから入力された画像の全エリアにおいて、光量が一定値以下に変化し、その後一定値を超える事象が一定時間（たとえば１０秒）以内に２回以上発生することを条件としたが、これに限定するものではない。２回に代えて、Ｎ回（Ｎは３以上の自然数）を条件としてもよい。
【０１５３】
（３）メインカメラの切替
第５の実施形態の図１８、図１９のステップＳ３０４、Ｓ３１７において、画像内の全エリアの光量が一定値以下が継続するのが３秒以上かつ５秒未満を条件とし、ステップＳ３０８、Ｓ３２１において、画像内の全エリアの光量が一定値以下の状態で継続するのが５秒以上かつ８秒未満を条件としたが、これに限定されるものではない。
【０１５４】
ステップＳ３０４、Ｓ３１７において、画像内の全エリアの光量が一定値以下が継続するのが３秒以上かつ５秒未満であり、近接センサによる物体の近接がない（または近接がある）ことを条件とし、ステップＳ３０８、Ｓ３２１において、画像内の全エリアの光量が一定値以下の状態で継続するのが３秒以上かつ５秒未満であり、近接センサによる物体の近接がある（または近接がない）ことを条件としてもよい。
【０１５５】
（４）ジェスチャ
第３〜第５の実施形態において、制御部は、画像内の全エリアの光量が一定値以下が継続するか、または継続した回数に基づいて、オンに設定されるカメラまたはメインに設定されるカメラを切替え、または撮影モードを動画撮影モードへ切替えたが、これに限定されるものではない。
【０１５６】
第３〜第５の実施形態においても、制御部は、ユーザによるジェスチャの違いに基づいて、上述の切替を実行するものとしてもよい。ジャスチャの違いとして、たとえば、手を横に振るか、上下に振るか、あるいは斜めに振るかの違いを用いたり、親指を振るか、３本の指を振るか、あるいは５本の指を振るかの違いを用いることができる。
【０１５７】
（５）メイン画像、サブ画像
第５の実施形態では、ユーザが、メインカメラを自分の方に向けることによって、メインカメラによって自分が撮影されて、表示領域の大きなメイン画像エリアに自分の画像が配置され、サブカメラによって背景が撮影されて、表示領域の小さなサブ画像エリアに背景の画像が配置されるものとしたが、これに限定されるものではない。
【０１５８】
たとえば、図２１に示すように、メイン画像エリアにサブカメラによる画像が配置され、サブ画像エリアにメインカメラによる画像が配置されるものとしてもよい。
【０１５９】
あるいは、サブカメラを自分の方に向けることによって、図２１に示すように、メインカメラによって背景が撮影されて、メイン画像エリアに背景の画像が配置され、サブカメラによって自分が撮影されて、サブ画像エリアに自分の画像が配置されるものとしてもよい。
【０１６０】
（６）画像を用いずに、近接センサ検出結果のみで切り替え
上述の実施形態では、カメラからの画像、またはカメラからの画像と近接センサの検出結果を用いて、ユーザがオンに設定されているカメラまたはメインカメラに設定されているカメラを覆ったかどうかを検出して、オンに設定するカメラ、またはメインカメラに設定するカメラを切り替えたが、これに限定するものではなく、カメラからの画像を用いなくてもよい。
【０１６１】
携帯端末がフロントカメラ８の近傍に近接センサ４９を、リアカメラ１８の近傍に近接センサ４８を備え（図２２、２３参照）、制御部は、ユーザがオンに設定されているカメラまたはメインカメラに設定されているカメラを覆ったかどうかを近接センサ４９または４８が検出したかどうかに基づいて、オンに設定するカメラ、またはメインカメラに設定するカメラを切り替えるものとしてもよい。
【０１６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６３】
１  携帯端末、２  筐体、６，４８，４９  近接センサ、７  レシーバ、８  フロントカメラ、９  ボタン群、９Ａ  電源オン／オフボタン、９Ｂ  音量アップボタン、９Ｃ  音量ダウンボタン、９Ｄ  ホームボタン、９Ｅ  バックボタン、９Ｆ  メニューボタン、１２  マイク、１５  タッチスクリーン、１６  ディスプレイ、１７  タッチパネル、１８  リアカメラ、２３  記憶部、２１  無線通信部、２２  アンテナ、３５０  サブ画像エリア、３５１  メイン画像エリア。
【図１】
0006426484.tif 000002
【図２】
0006426484.tif 000003
【図３】
0006426484.tif 000004
【図４】
0006426484.tif 000005
【図５】
0006426484.tif 000006
【図６】
0006426484.tif 000007
【図７】
0006426484.tif 000008
【図８】
0006426484.tif 000009
【図９】
0006426484.tif 000010
【図１０】
0006426484.tif 000011
【図１１】
0006426484.tif 000012
【図１２】
0006426484.tif 000013
【図１３】
0006426484.tif 000014
【図１４】
0006426484.tif 000015
【図１５】
0006426484.tif 000016
【図１６】
0006426484.tif 000017
【図１７】
0006426484.tif 000018
【図１８】
0006426484.tif 000019
【図１９】
0006426484.tif 000020
【図２０】
0006426484.tif 000021
【図２１】
0006426484.tif 000022
【図２２】
0006426484.tif 000023
【図２３】
0006426484.tif 000024